(57)【要約】【課題】軽量コンパクトで持ち運びが容易な顕微鏡を提供することである。【解決手段】試料の像を撮像素子９により撮像してモニタ５に出力する顕微鏡１を、試料が配置される水平なステージ１２と、ステージ１２の上方に設けられてステージ１２に配置された試料に光を照射する光源１４と、対物レンズ２４とレンズ系２８，２９とを備えてステージ１２の下方に配置され、試料の像を撮像素子９に結像させる観察光学装置８と、ステージ１２の下方に該ステージ１２に垂直な方向に対して４５度傾けて配置され、ステージ１２と撮像素子９との間で光軸を９０度曲げる下側ミラー２７とを備えた構成として、そのステージ１２と観察光学装置８とをＬ字状に配置させる。【選択図】図２
2014056191.tif 000002
【特許請求の範囲】
【請求項１】
試料の像を撮像素子により撮像して表示装置に出力する顕微鏡であって、
前記試料が配置される水平なステージと、
前記ステージの上方に設けられ、前記ステージに配置された前記試料に光を照射する光源と、
対物レンズと結像レンズとを備えて前記ステージの下方に配置され、前記試料の像を前記撮像素子に結像させる観察光学系と、
前記ステージの下方に該ステージに垂直な方向に対して４５度傾けて配置され、前記ステージと前記撮像素子との間で光軸を９０度曲げる下側ミラーとを備え、
前記ステージと前記観察光学系とがＬ字状に配置されていることを特徴とする顕微鏡。
【請求項２】
前記光源と前記ステージとの間に設けられる照明光学系と、
前記ステージの上方に該ステージに垂直な方向に対して４５度傾けて配置され、前記光源と前記ステージとの間で光軸を９０度曲げる上側ミラーとをさらに備え、
前記照明光学系、前記ステージ及び前記観察光学系がコの字状に配置されていることを特徴とする請求項１記載の顕微鏡。
【請求項３】
前記結像レンズが倍率変更機能を有し、該結像レンズが前記下側ミラーと前記撮像素子との間に軸方向を水平にして配置されていることを特徴とする請求項１または２記載の顕微鏡。
【請求項４】
前記照明光学系に配置されたリング絞りと、前記観察光学系の前記リング絞りと光学的に共役な位置に配置される位相板とを備えていることを特徴とする請求項２または３記載の顕微鏡。
【請求項５】
前記光源と前記照明光学系とがケーラー照明を構成することを特徴とする請求項４の顕微鏡。
【請求項６】
前記ステージを光軸方向に沿って移動させる駆動手段を備えていることを特徴とする請求項１〜５のいずれか１項に記載の顕微鏡。
【発明の詳細な説明】
【技術分野】
【０００１】
本発明は、ステージに配置した試料の像を撮像素子により撮像してモニタ等の表示装置に表示する顕微鏡に関する。
【背景技術】
【０００２】
従来から、この種の顕微鏡は、例えば、化粧品販売の現場において肌に合った化粧品を選定するため、皮膚から採取した角質等の細胞を観察する際などに用いられている。
【０００３】
このような顕微鏡としては、例えば特許文献１に示されるように、試料が配置されるステージの下方に、人工的に試料に光を照射する光源を設け、ステージの上方に、レボルバに取り付けられた複数の対物レンズを含んだ観察光学系を設けたものがある。この場合、観察光学系の上端にデジタルカメラが取り付けられ、観察光学系により拡大された試料の像がデジタルカメラにより撮像されてパソコンのモニタに表示される。
【先行技術文献】
【特許文献】
【０００４】
【特許文献１】特開２００８−５８３９６号公報
【発明の概要】
【発明が解決しようとする課題】
【０００５】
化粧品の販売は、店頭だけでなく、訪問販売により行なわれることがある。この場合、訪問先において、顧客の皮膚から採取した角質等の細胞を観察するためには、顕微鏡を訪問先にまで持ち運ぶ必要がある。
【０００６】
しかしながら、従来の顕微鏡は、観察光学系とデジタルカメラとをステージの上方に一直線上に並べて配置した構成となっているので、その高さ寸法が大きくなっている。また、ステージ上方に配置された観察光学系やデジタルカメラの重量を安定的に支えるために、土台が大きく重く形成されている。そのため、従来の顕微鏡は、その持ち運びが容易ではなかった。
【０００７】
本発明の目的は、軽量コンパクトで持ち運びが容易な顕微鏡を提供することにある。
【課題を解決するための手段】
【０００８】
本発明の顕微鏡は、試料の像を撮像素子により撮像して表示装置に出力する顕微鏡であって、前記試料が配置される水平なステージと、前記ステージの上方に設けられ、前記ステージに配置された試料に光を照射する光源と、対物レンズと結像レンズとを備えて前記ステージの下方に配置され、前記試料の像を前記撮像素子に結像させる観察光学系と、前記ステージの下方に該ステージに垂直な方向に対して４５度傾けて配置され、前記ステージと前記撮像素子との間で光軸を９０度曲げる下側ミラーとを備え、前記ステージと前記観察光学系とがＬ字状に配置されていることを特徴とする。
【０００９】
本発明の顕微鏡は、前記光源と前記ステージとの間に設けられる照明光学系と、前記ステージの上方に該ステージに垂直な方向に対して４５度傾けて配置され、前記光源と前記ステージとの間で光軸を９０度曲げる上側ミラーとをさらに備え、前記照明光学系、前記ステージ及び前記観察光学系がコの字状に配置されるのが好ましい。
【００１０】
本発明の顕微鏡は、前記結像レンズが倍率変更機能を有し、該結像レンズが前記下側ミラーと前記撮像素子との間に軸方向を水平にして配置されるのが好ましい。
【００１１】
本発明の顕微鏡は、前記照明光学系に配置されたリング絞りと、前記観察光学系の前記リング絞りと光学的に共役な位置に配置される位相板とを備えるのが好ましい。
【００１２】
本発明の顕微鏡は、前記光源と前記照明光学系とがケーラー照明を構成するのが好ましい。
【００１３】
本発明の顕微鏡は、前記ステージを光軸方向に沿って移動させる駆動手段を備えるのが好ましい。
【発明の効果】
【００１４】
本発明によれば、顕微鏡を軽量コンパクトな構成として、その持ち運びを容易にすることができる。
【図面の簡単な説明】
【００１５】
【図１】本発明の一実施の形態である顕微鏡の斜視図である。
【図２】図１に示す顕微鏡から側面カバーを取り外した側面図である。
【図３】図２に示す顕微鏡の光学系を模式的に示す説明図である。
【図４】図１に示すモニタの表示を示す正面図である。
【発明を実施するための形態】
【００１６】
以下、図面を参照して、本発明の実施の形態を詳細に例示説明する。
【００１７】
図１に示す本発明の一実施の形態である顕微鏡１は光学式の顕微鏡であり、例えば、皮膚から採取した角質等の細胞を試料とし、それを視覚的に拡大して観察する際に用いられる。この顕微鏡１は、プラスチック等の樹脂材料や金属板等により形成されるケース（筐体）２に収容されて１つのユニットとされており、ケース２ごと持ち運びが可能な可搬タイプとなっている。
【００１８】
ケース２の側面カバー２ａには試料差込口３が設けられている。この試料差込口３にはプレパラート４に構成された試料が差し込まれる。プレパラート４が差し込まれると、顕微鏡１は試料の像を拡大し、試料の拡大画像が表示装置であるモニタ５に表示される。このように、この顕微鏡１は、モニタ５上で試料の拡大画像を観察することができるモニタタイプとなっている。
【００１９】
なお、顕微鏡１は、図１、図２に示すように、側面カバー２ａが垂直となり、試料差込口３に差し込まれたプレパラート４が水平となる正規姿勢で用いられる。以下の説明においては、顕微鏡１が正規姿勢とされているものとする。
【００２０】
図２に示すように、この顕微鏡１は、ステージ装置６、照明装置７、観察光学装置８、撮像素子９および制御基板１０を備えている。
【００２１】
ステージ装置６は、ケース２に固定された支持枠体１１と、支持枠体１１に収容されたステージ１２とを備えている。支持枠体１１の側面にはケース２の試料差込口３に連なる開口１１ａが設けられ、ケース２の試料差込口３から差し込まれたプレパラート４は、この開口１１ａを通ってステージ１２に配置される。つまり、試料差込口３からプレパラート４を差し込むことで、試料がステージ１２に配置される。この顕微鏡１の正規姿勢においては、ステージ１２つまりステージ１２のプレパラート４が配置される面は水平である。
【００２２】
支持枠体１１には駆動ユニット（駆動手段）１３が取り付けられている。ステージ１２は、この駆動ユニット１３により駆動されて、水平方向（ＸＹ方向）と垂直方向（Ｚ軸方向）とに移動することができる。ステージ１２が移動すると、当該ステージ１２に載せられたプレパラート４もステージ１２とともに移動する。駆動ユニット１３としては、例えば、ＸＹＺの各方向に対応した３つの電動モータ（不図示）を備え、これらの電動モータの回転運動をねじ機構により各方向の直線運動に変換してステージ１２に伝達する構成のものを用いることができるが、他の構造の駆動ユニットを用いてもよい。
【００２３】
照明装置７は、光源１４と照明光学系１５とを備え、ステージ１２の上方に配置されている。本実施の形態においては、照明装置７つまり光源１４と照明光学系１５とは、試料に向けて均一に光を照射するケーラー照明を構成している。
【００２４】
照明光学系１５は、軸方向を水平にして配置される円筒状の照明ケース１６を備えている。支持枠体１１の上方には接続アダプタ１７と上側ミラーユニット１８とが固定され、照明ケース１６は、その一端において上側ミラーユニット１８に固定されている。
【００２５】
光源１４は、照明ケース１６の上側ミラーユニット１８とは反対側となる端部に取り付けられている。本実施の形態においては、光源１４として、基板１４ａに搭載された発光ダイオード（ＬＥＤ：Light Emitting Diode）１４ｂを用いるようにしているが、フィラメントを用いた電球などを用いることもできる。
【００２６】
図３に示すように、照明ケース１６の内部には、光源１４に隣接する光源レンズ１９とフィールドレンズ２０とが配置され、光源レンズ１９とフィールドレンズ２０との間には板状の視野絞り２１が配置されている。また、ステージ１２の上方には、軸方向を垂直つまり照明ケース１６の軸方向と直交するようにコンデンサレンズ２２が配置されている。このコンデンサレンズ２２は接続アダプタ１７に固定されている。照明光学系１５は、このように、光源レンズ１９、視野絞り２１、フィールドレンズ２０およびコンデンサレンズ２２を備えて、光源１４とステージ１２との間に設けられている。
【００２７】
上側ミラーユニット１８には、ステージ１２に垂直な方向と照明ケース１６の軸方向との双方に対して４５度傾けられた上側ミラー２３が設けられている。光源１４から照明ケース１６内に向けて水平に照射された光の光軸は、光源１４とステージ１２との間で、上側ミラー２３で反射して、下方に向けて９０度曲げられる。したがって、光源１４から照射された光は、上側ミラー２３で反射されてステージ１２に配置された試料に垂直に照射される。
【００２８】
このように、照明装置７は、光源１４とステージ１２との間で、その光軸の方向が上側ミラー２３により９０度曲げられたＬ字形状のケーラー照明に構成されている。
【００２９】
図２、図３に示すように、観察光学系である観察光学装置８は、対物レンズ２４と倍率変更機能を有する結像レンズ２５とを備え、ステージ１２の下方に配置されている。
【００３０】
対物レンズ２４は、ステージ１２の下方側にコンデンサレンズ２２と同軸に配置されている。対物レンズ２４は支持枠体１１に固定され、コンデンサレンズ２２との距離が一定とされている。
【００３１】
結像レンズ２５は、撮像素子９を固定し変倍操作に応じて可動する円筒状の鏡枠２５ａと、この鏡枠２５ａに同じく変倍操作に応じて軸方向に移動自在に組み合わされた円筒状の可動鏡枠２５ｂとケース２に固定された固定鏡枠２５ｃを備えている。そしてこの実施例では固定鏡枠２５ｃには固定レンズ系２８が、また可動鏡枠２５ｂには可動レンズ系２９がそれぞれ設けられている。支持枠体１１の下方には下側ミラーユニット２６が固定され、結像レンズ２５は、軸方向を水平として、その一端において下側ミラーユニット２６に固定されている。このように、結像レンズ２５は、その軸方向を水平としてステージ１２の下方であってケース２の最下部に配置されている。
【００３２】
下側ミラーユニット２６には、ステージ１２に垂直な方向と結像レンズ２５の軸方向との双方に対して４５度傾けられた下側ミラー２７が配置されている。対物レンズ２４を通過した光の光軸は、この下側ミラー２７で反射して、対物レンズ２４と結像レンズ２５との間で９０度曲げられ、結像レンズ２５の軸方向に沿った方向に向けられる。
【００３３】
一対の鏡枠２５ａ，２５ｂは、詳細は図示しないが、互いにカム機構を介して連結されている。カム機構が図示しない電動モータにより駆動されると、双方の鏡枠２５ａと２５ｂとが所望の変倍率に応じて移動する。
【００３４】
撮像素子９は、鏡枠２５ａの末端つまり下側ミラーユニット２６とは反対側となる端部に固定されている。撮像素子９としては、例えば、基板３０に搭載されたＣＣＤイメージセンサ（Charge Coupled Device Image Sensor）やＣＭＯＳイメージセンサ（Complementary Metal Oxide Semiconductor Image Sensor）が用いられるが、他の撮像素子を用いることもできる。
【００３５】
このように端部に撮像素子９が固定された観察光学装置８は、ステージ１２と撮像素子９との間で、その光軸の方向が下側ミラー２７により９０度曲げられたＬ字形状に構成されている。
【００３６】
ここで、この顕微鏡１は、下側ミラー２７で光軸を９０度曲げることにより、結像レンズ２５を水平配置するようにしているので、結像レンズ２５の端部に固定される撮像素子９とこれを搭載する基板３０とを垂直に立てた配置とすることができる。撮像素子９を垂直に立てた配置とすることにより、撮像素子９や基板３０を水平に寝かせて配置した場合に比べて、撮像素子９への塵等の異物の付着を抑制することができる。
【００３７】
結像レンズ２５は、一対のレンズ系２８，２９により、対物レンズ２４を通過した試料の像を撮像素子９に結像させる。また、結像レンズ２５は、カム機構の作動により、レンズ系２８，２９の間隔ならびに撮像素子９との位置関係を変化させて結像する像の倍率を変更することができる。
【００３８】
なお、撮像素子９は、結像レンズ２５の端部に固定する構成に限らず、対物レンズ２４に対して、光軸に沿った距離が一定となる（固定される）ように、ケース２の内面等に固定することもできる。撮像素子９をケース２の内面等に固定する構造とすることにより、結像レンズ２５の作動時に生じる振動等が撮像素子９に加わることを抑制して、この顕微鏡１の耐久性を高めることができる。
【００３９】
照明光学系１５にはリング絞り３１が配置され、観察光学装置８には位相板３２が配置されている。リング絞り３１は上側ミラー２３とコンデンサレンズ２２との間の、コンデンサレンズ２２の焦点と一致する位置に配置されている。一方、位相板３２は、対物レンズ２４の下端に固定されており、当該対物レンズ２４と下側ミラー２７との間の、リング絞り３１に対して光学的に共役となる位置に配置されている。したがって、ケーラー照明に構成された照明装置７、リング絞り３１および位相板３２を用いることにより、この顕微鏡１で試料を位相差観察することができる。つまり、この顕微鏡１を、位相差顕微鏡として使用することができる。顕微鏡１を位相差顕微鏡として使用することにより、皮膚から採取した角質等の細胞を、染色することなく、光の位相差をコントラストに変換して明瞭に観察することができる。
【００４０】
通常、位相差顕微鏡に使用する対物レンズ２４は出射光が平衡となるアフォーカル光学系を採用し、出射側には位相板３２に加えて位相差リング３３を備えている。そして結像レンズ２５には、この位相差リング３３の存在が撮像面に結像される像に影響を与えないような設計を行っている。
【００４１】
一方、本発明の顕微鏡１における変倍機能を有する結像レンズ２５は、対物レンズ２４との間に光軸を９０度曲げるためのミラー２７を有しているために、この配置空間を確保しつつ、上述した位相差リング３３の影響を防止することが必要となる。そこで、結像レンズ２５の入射瞳位置Ｐ１を、ミラー２７に対して対物レンズ２４の側に位置づけると共に、位相板３２の共役点Ｐ２を撮像素子９の撮像面よりも図中右側、つまり結像レンズ２５とは反対側に位置づけるように設計することが望ましい。
【００４２】
また、顕微鏡１の倍率は、対物レンズ２４の光学倍率と結像レンズ２５の光学倍率との積で決まるが、本発明のように、撮像面に結像させ、それをモニタ５に表示させる場合には、観察者が視認する倍率は、撮像素子９の大きさや使用するモニタ５の大きさとの総合的な関係で決まる。
【００４３】
それゆえ、本発明では例えば対物レンズ２４として２０倍のものを使用し、結像レンズ２５の変倍率（ズーム比）を６倍程度とし、その光学倍率を３から２０倍に設計し、撮像素子９として１／４インチのＣＣＤもしくはＣＭＯＳに取り込んで１４インチのモニタ５に表示する場合には、２００倍から１４００倍程度の拡大率を確保することが可能となる。
【００４４】
コンデンサレンズ２２とリング絞り３１との間には一対の明視野用透過光源３４が設けられており、照明装置７を用いず、明視野用透過光源３４のみを用いることにより、この顕微鏡１で試料を明視野で観察することができる。また、ステージ１２の上側には一対の暗視野用透過光源３５ａが設けられ、ステージ１２の下側には一対の暗視野用反射光源３５ｂが設けられており、照明装置７を用いず、これらの暗視野用の光源３５ａ，３５ｂのみを用いることにより、この顕微鏡１で試料を暗視野で観察することができる。このように、この顕微鏡１は、観察環境を、位相差観察、明視野観察または暗視野観察に切替えて試料の観察を行うことができるようになっている。
【００４５】
なお、本実施の形態においては、観察環境を、位相差観察、明視野観察、暗視野観察に切り替えることができる構成とされているが、少なくともいずれか１つの観察ができればよく、例えば、この顕微鏡１を位相差顕微鏡に構成することもできる。
【００４６】
制御基板１０は、この顕微鏡１を構成する各装置等を制御するものであり、ケース２の内面に沿って縦に配置されている。制御基板１０には、照明装置７の光源１４、ステージ１２を駆動する駆動ユニット１３、結像レンズ２５を駆動する電動モータおよび撮像素子９等が接続されている。また、制御基板１０は、図示しない配線により、商用電源等の外部電源に接続されている。なお、制御基板１０に電力を供給するためのバッテリ等の電源をケース２内に設けるようにしてもよい。
【００４７】
表示装置であるモニタ５は、ケーブル３６により制御基板１０に接続される。撮像素子９が撮像した試料の拡大画像は、制御基板１０とケーブル３６とを介してモニタ５に出力される。制御基板１０にはモニタ５と接続されるコネクタユニット３７が設けられるが、このコネクタユニット３７は、照明装置７、ステージ装置６および結像レンズ２５に囲まれたコの字の内側のデッドスペースに配置されている。
【００４８】
本実施の形態においては、モニタ５として、ＣＰＵ（中央演算処理装置）と、メモリやハードディスク等の記憶媒体とを備えてコンピュータとしての機能を有するタブレット端末（タブレットコンピュータ）が用いられている。タブレット端末に代えて、デスクトップ型やノート型のコンピュータを用い、これらのコンピュータに接続されたモニタに拡大画像を表示させることもできる。
【００４９】
モニタ５の画面はタッチパネルとなっている。タッチパネル（タッチスクリーンやタッチ画面などとも呼ばれる）は、液晶パネルのような表示パネルにタッチパッドのような位置入力装置を組み合わせたものである。図４に示すように、モニタ５の画面は、試料の拡大画像を表示する画像表示領域３８に加えて、顕微鏡１を操作する操作キーを表示する領域を有している。操作キーとしては、例えば、ステージ１２をＸ方向に移動させて視野をＸ方向に移動させる一対のＸ方向位置調整キー４１ａ，４１ｂ、ステージ１２をＹ方向に移動させて視野をＹ方向に移動させる一対のＹ方向位置調整キー４２ａ，４２ｂ、ステージ１２を光軸方向に沿ったＺ方向に移動させて画像のフォーカスを調整する一対のフォーカス調整キー４３ａ，４３ｂ、結像レンズ２５を作動させて倍率を所定の倍率に変更する４つの倍率変更キー４４ａ〜４４ｄ、拡大画像をタブレット端末であるモニタ５の記憶媒体等に記憶させる撮影キー４５などが設けられている。これらのキーを指先でタッチ操作することにより、顕微鏡１の倍率、試料の視野位置、フォーカス等を調整することができる。なお、結像２５を作動させて倍率を変更する倍率変更キー４４ａ〜４４ｄは、予め設定された４つの倍率変更キーを設けるに限らず、倍率を増加させる拡大キーと、倍率を低下させる縮小キーとで構成することもできる。
【００５０】
モニタ５に設けた電子ズーム機能により、モニタ５に入力された拡大画像をさらに拡大して画像表示領域３８に表示させることができる。本実施の形態では、拡大画像は電子ズームにより最大１４００倍にまで拡大して表示するようにしている。
【００５１】
このような構成により、試料差込口３にプレパラート４を差し込むと、照明装置７により試料に光が照射され、これにより生じた試料の像が観察光学装置８により拡大されて撮像素子９に結像される。撮像素子９はこれに結像した試料の像を撮像し、モニタ５に向けて出力する。そして、撮像素子９により撮像された試料の拡大画像がモニタ５に表示される。
【００５２】
タブレット端末であるモニタ５は、公衆回線等を用いて研究所等に設置された解析装置とデータ通信可能に構成することもできる。この場合、顕微鏡１により得られた試料の拡大画像を、モニタ５から解析装置に送信することができ、また、解析装置による当該画像の解析結果をモニタ５で受け取ることができる。
【００５３】
さらに、ステージ装置６に設けたオートフォーカスユニット４６を用いて、画像のフォーカスを自動的に調整する構成とすることもできる。オートフォーカスユニット４６としては、例えば、フォーカス位置を検出するセンサとして撮像素子９を用い、駆動ユニット１３によりステージ１２を光軸に沿った方向に移動させてフォーカス位置を調整する構成とすることもできる。
【００５４】
図２、図３に示すように、本発明では、ステージ１２と撮像素子９との間において、光源１４が発した光の経路つまり光軸を、下側ミラー２７を用いてＬ字状に曲げることにより、ステージ１２と観察光学装置８とをＬ字状に配置するようにしている。したがって、観察光学装置８をステージ１２に対して垂直に配置した場合に比べて、この顕微鏡１の高さ寸法を小さくすることができる。また、高さ寸法が小さくされることにより、大きくて重い土台を設ける必要がないので、観察光学装置８をステージ１２に対して垂直に配置した場合に比べて、顕微鏡１を軽量化することができる。
【００５５】
このように、本発明では、ステージ１２と観察光学装置８とをＬ字状に配置するようにしたので、顕微鏡１を軽量コンパクトにして、その持ち運びを容易にすることができる。
【００５６】
また、本発明では、ステージ１２と観察光学装置８とをＬ字状に配置するのに加えて、光源１４とステージ１２との間において、上側ミラー２３を用いて光軸の経路をＬ字状に曲げて、ステージ１２と照明装置７とをＬ字状に配置するようにしている。これにより、光源１４からステージ１２を経て撮像素子９に至るまでの間において、照明装置７、ステージ１２および観察光学装置８をコの字状に配置するようにしている。つまり、ステージ１２に対してケーラー照明である照明装置７と結像レンズ２５とを水平配置して、これらをコの字状に配置するようにしている。したがって、観察光学装置８と照明装置７とをステージ１２に対して垂直に配置した場合に比べて、この顕微鏡１の高さ寸法を小さくして、当該顕微鏡１をコンパクトな形状にすることができる。また、高さ寸法が小さくされることにより、大きくて重い土台を設ける必要がないので、観察光学装置８と照明装置７とをステージ１２に対して垂直に配置した場合に比べて、顕微鏡１を軽量化することができる。
【００５７】
このように、本発明では、照明装置７、ステージ１２および観察光学装置８をコの字状に配置するようにしたので、顕微鏡１をさらに軽量コンパクトにして、その持ち運びを容易にすることができる。
【００５８】
さらに、本発明では、照明装置７よりも重量が重い観察光学装置８と撮像素子９とをステージ１２の下方に配置するようにしているので、観察光学装置８と撮像素子９とをステージ１２の上方に配置し、照明装置７をステージ１２の下方に配置する場合に比べて、顕微鏡１の重心を低くすることができる。これにより、顕微鏡１の重心が安定するので、大きくて重い土台を不要として、この顕微鏡１をさらに軽量コンパクトにすることができる。
【００５９】
さらに、本発明では、対物レンズ２４を支持枠体１１に固定し、ステージ１２を支持枠体１１に対して光軸方向に移動させてフォーカスを調整する構成としたので、ステージ１２に対して、対物レンズ２４とともに観察光学装置８、撮像素子９等を移動させる必要を無くすことができる。したがって、この顕微鏡１の構成を簡素化して、当該顕微鏡１をより軽量コンパクトにすることができる。
【００６０】
本発明は、上記実施の形態に限定されることなく、種々の変形または変更が可能である。
【００６１】
例えば、上記実施の形態では、ステージ１２と観察光学装置８とをＬ字状に配置するとともに、ステージ１２と照明装置７とをＬ字状に配置して、照明装置７、ステージ１２および観察光学装置８を全体としてコの字状の配置とするようにしているが、これに限らず、ステージ１２と観察光学装置８とがＬ字状に配置されていれば、例えば、照明装置７を垂直に配置したり、明視野用透過光源３３および／または暗視野用の光源３４，３５のみを設けてケーラー照明である照明装置７を設けない構成としたりするなど、照明装置７の構成は種々変更することができる。
【００６２】
さらに、上記実施の形態においては、タッチパネル式のモニタ５に表示された各種の操作キーを操作することにより、顕微鏡１を操作することができるようにしているが、これに限らず、モニタ５とは別に設けられた操作端末により顕微鏡１を操作する構成とすることもできる。
【符号の説明】
【００６３】
１    顕微鏡
２    ケース（筐体）
２ａ  側面カバー
３    試料差込口
４    プレパラート
５    モニタ（表示装置）
６    ステージ装置
７    照明装置
８    観察光学装置
９    撮像素子
１０    制御基板
１１    支持枠体
１１ａ  開口
１２    ステージ
１３    駆動ユニット（駆動手段）
１４    光源
１５    照明光学系
１６    照明ケース
１７    接続アダプタ
１８    上側ミラーユニット
１９    光源レンズ
２０    フィールドレンズ
２１    視野絞り
２２    コンデンサレンズ
２３    上側ミラー
２４    対物レンズ
２５    結像レンズ
２５ａ  鏡枠
２５ｂ  可動鏡枠
２５ｃ  固定鏡枠
２６    下側ミラーユニット
２７    下側ミラー
２８    固定レンズ系
２９    可動レンズ系
３０    基板
３１    リング絞り
３２    位相板
３３    位相差リング
３４    明視野用透過光源
３５ａ  暗視野用透過光源
３５ｂ  暗視野用反射光源
３６    ケーブル
３７    コネクタユニット
３８    画像表示領域
４１ａ，４１ｂ  Ｘ方向位置調整キー
４２ａ，４２ｂ  Ｙ方向位置調整キー
４３ａ，４３ｂ  フォーカス調整キー
４４ａ〜４４ｄ  倍率変更キー
４５    撮影キー
４６    オートフォーカスユニット
Ｐ１    入射瞳位置
Ｐ２    共役点
【図１】
2014056191.tif 000003
【図２】
2014056191.tif 000004
【図３】
2014056191.tif 000005
【図４】
2014056191.tif 000006